(57)【特許請求の範囲】
【請求項１】
商品載置用のスラントラックを上下多段に有し、各段の前記スラントラックより取り出される商品を受け取って商品を商品取出し口に対して昇降搬送するバケットが設けられている自動販売機の商品収容装置において、
ホットゾーンとコールドゾーンとに仕切るラック間仕切板が任意の前記スラントラック間に抜き差し可能に設けられ、前記バケットの昇降移動空間に前記ラック間仕切板より支持されて前記バケットの昇降移動空間をホットゾーン側とコールドゾーン側とに仕切るバケット空間仕切板が設けられ、前記バケット空間仕切板は当該バケット空間仕切板の配置位置より上方への前記バケットの上昇移動に伴って前記バケットにより持ち上げられ、前記バケットの昇降移動に伴って昇降移動することを特徴とする自動販売機の商品収容装置。
【請求項２】
前記ラック間仕切板は前記バケットの昇降移動を案内する左右両側の案内コラムに近い前端部にて前記バケット空間仕切板の一端縁部を支持し、前記ラック間仕切板は前記前端部の左右両側より前記左右両側の案内コラムのそれぞれの外側をまいて当該案内コラムの反対側に延在する延長片と当該延長片の先端に固定された仕切板支持部材とを有し、前記仕切板支持部材より前記バケット空間仕切板の他端側を支持することを特徴とする請求項１に記載の自動販売機の商品収容装置。
【発明の詳細な説明】
【０００１】
【発明の属する技術分野】
この発明は、自動販売機の商品収容装置に関し、特に、缶入り飲料用、瓶入り飲料用の自動販売機において、スラントラックを上下多段に有する商品収容装置に関するものである。
【０００２】
【従来の技術】
缶入り飲料用、瓶入り飲料用の自動販売機の商品収容装置として、スラントラックを上下多段に有し、各段のスラントラックに商品を収容することができる商品収容装置が知られており、この種の商品収容装置は、実公昭６１−４２２３５号公報や特開平９−５０５６６号公報に示されている。
【０００３】
また、近年、商品取出口が自動販売機前面の中段位置にあるイージーアクセス式の自動販売機が開発されており、この自動販売機で使用される商品収容装置は、各段の前記スラントラックより取り出される商品を受け取って商品を商品取出し口に対して昇降搬送するバケットが設けられる。
【０００４】
【発明が解決しようとする課題】
冷却された飲物と暖められた飲物（あるいは、常温の飲物）とを販売できる自動販売機では、ホットゾーンとコールドゾーンとに仕切る仕切板がスラントラック間に設けられるが、バケットが設けられものでは、バケットの昇降移動空間が吹き抜けとなってホットゾーン側とコールドゾーン側との間に延在するため、冷気、暖気が他のゾーンに逃げ、熱損失が大きく、特に、ゾーン境界部では温度差を的確に与えることが難しい。
【０００５】
この発明は、上述の如き問題点を解消するためになされたもので、バケットが設けられているものでも、大きい熱損失を生じることなくホットゾーンとコールドゾーンとを的確に作ることができるように改良された自動販売機の商品収容装置を提供することを目的としている。
【０００６】
【課題を解決するための手段】
上述の目的を達成するために、請求項１にかかる自動販売機の商品収容装置は、商品載置用のスラントラックを上下多段に有し、各段の前記スラントラックより取り出される商品を受け取って商品を商品取出し口に対して昇降搬送するバケットが設けられている自動販売機の商品収容装置において、ホットゾーンとコールドゾーンとに仕切るラック間仕切板が任意の前記スラントラック間に抜き差し可能に設けられ、前記バケットの昇降移動空間に前記ラック間仕切板より支持されて前記バケットの昇降移動空間をホットゾーン側とコールドゾーン側とに仕切るバケット空間仕切板が設けられ、前記バケット空間仕切板は当該バケット空間仕切板の配置位置より上方への前記バケットの上昇移動に伴って前記バケットにより持ち上げられ、前記バケットの昇降移動に伴って昇降移動するものである。
【０００７】
上述の構成によれば、バケット空間仕切板によってバケットの昇降移動空間がホットゾーン側とコールドゾーン側に仕切られ、バケットの昇降移動空間がホットゾーン側とコールドゾーン側とを連通開放する吹き抜けとなることがない。バケット空間仕切板はバケットの上昇移動に伴ってバケットにより持ち上げられてバケットの昇降移動に伴って昇降移動するから、バケット空間仕切板がバケットの昇降移動を阻害することがない。
【０００８】
また、請求項２にかかる自動販売機の商品収容装置は、前記ラック間仕切板は前記バケットの昇降移動を案内する左右両側の案内コラムに近い前端部にて前記バケット空間仕切板の一端縁部を支持し、前記ラック間仕切板は前記前端部の左右両側より前記左右両側の案内コラムのそれぞれの外側をまいて当該案内コラムの反対側に延在する延長片と当該延長片の先端に固定された仕切板支持部材とを有し、前記仕切板支持部材より前記バケット空間仕切板の他端側を支持するものである。
【０００９】
上述の構成によれば、バケット空間仕切板は、一端縁部をラック間仕切板を前端部より支持され、他端側を左右の仕切板支持部材より支持され、３点支持によって配置位置が安定する。
【００１０】
【発明の実施の形態】
以下に添付の図を参照して、この発明にかかる自動販売機の商品収容装置の実施の形態を詳細に説明する。
【００１１】
図１〜図４はこの発明による自動販売機の商品収容装置の一つの実施の形態を示している。商品収容装置１は、自動販売機の筺体（内箱）５０内に設けられており、同一形状、構成の商品載置用のスラントラック２を上下に等間隔をおいて複数段に有し、各スラントラック２上に缶入り飲料等の商品Ｇを横一列に載置される。
【００１２】
なお、筺体５０の上部には加熱装置５１が、筺体５０の下部には冷却装置５２が設けられており、筺体５０の上側がホットゾーン、下側がコールドゾーンとなる。
【００１３】
スラントラック２は、筺体５０の前面側より背面側に向けて下り勾配に傾斜し、後端を商品取出端３、前端を商品取入端４とされている。商品取出端３の近傍には、商品を一つずつ取り出すベンドメカニズム５が設けられている。
【００１４】
中段部には筺体５０の背面側より前面側に向けて下り勾配に傾斜した商品取出し用シュータ６が設けられており、筺体５０の前面部には商品取出し用シュータ６の下流端に対応する高さ位置（中段位置）に商品取出し口５３が設けられている。
【００１５】
筺体５０の背面側にはリフタ装置７が設けられている。リフタ装置７は、筺体５０の略全高に亙って垂直に設けられた左右両側の案内コラム８と、案内コラム８より案内されて昇降移動するバケット９と、上下のタイミングプーリ１０、１１間に掛け渡されてバケット９と連結された無端のタイミングベルト１２とを有し、タイミングプーリ１１がモータ１３により回転駆動されることにより、バケット９が商品取出し対象の段のスラントラック２と商品取出し用シュータ６の上流端に対応する高さ位置との間に昇降移動する。
【００１６】
バケット９は、前面が開放された長方体状をなしており、底部に商品払出し用の可動底板１４が設けられている。可動底板１４は、ソレノイド装置１５と駆動連結され、ソレノイド装置１５により傾斜駆動される。
【００１７】
スラントラック２間にはラック間仕切板１６が設けられている。ラック間仕切板１６は、任意のスラントラック２間に抜き差し可能に設けられて商品収容装置１の内部をホットゾーンとコールドゾーンとに仕切っている。この場合、ラック間仕切板１６より上側がホットゾーン、下側がコールドゾーンになる。
【００１８】
ラック間仕切板１６の案内コラム８に近い前端部は傾斜面１７になっている。ラック間仕切板１６は、案内コラム８に近い前端部の左右両側より左右両側の案内コラム８のそれぞれの外側をまいて案内コラム８の反対側に延在するばね性を有する延長片１８と、延長片１８の先端に固定された仕切板支持部材１９とを有している。
【００１９】
バケット９の昇降移動空間（左右の案内コラム８間の空間）には、この昇降移動空間をラック間仕切板１６と同一高さ位置にてホットゾーン側とコールドゾーン側とに仕切るバケット空間仕切板２０が設けられている。バケット空間仕切板２０は、傾斜した一端縁部２１をラック間仕切板１６の傾斜面１７との整合契合によって支持され、他端部２２を左右の仕切板支持部材１９より支持され、３点支持によってバケット空間仕切板２０より水平状態に安定保持されている。
【００２０】
バケット空間仕切板２０は、ラック間仕切板１６の傾斜面１７および仕切板支持部材１９上に載っているだけであるので、バケット空間仕切板２０の配置位置より上方へのバケット９の上昇移動に伴ってバケット９により持ち上げられ、バケット９の昇降移動に伴って昇降移動する構造になっている。
【００２１】
通常状態時には、図１、図３に示されているように、バケット空間仕切板２０はラック間仕切板１６より支持されてバケット９の昇降移動空間をラック間仕切板１６と同一高さ位置にてホットゾーン側とコールドゾーン側とに仕切っている。従って、バケット９の昇降移動空間がホットゾーン側とコールドゾーン側とを連通開放する吹き抜けとなることがなく、冷気、暖気が他のゾーンに逃げることが回避され、熱損失の低減が図られ、また、ゾーン境界部でも温度差を的確に与えることができるようになる。
【００２２】
バケット空間仕切板２０の配置位置より上段のスラントラック２より商品を取り出す場合には、図２、図４に示されているように、バケット空間仕切板２０は、バケット９の上昇移動に伴ってバケット９により持ち上げられ、バケット９上に載った形態で、バケット９の昇降移動に伴って昇降移動する。したがって、バケット空間仕切板２０がバケット９の昇降移動を阻害することがない。
【００２３】
ベンドメカニズム５の動作によってスラントラック２より可動底板１４上に商品Ｇをバケット９が受け取ると、バケット９が商品取出し用シュータ６の上流端に対応する高さ位置まで降下移動する。バケット９がラック間仕切板１６の高さ位置より下方に降下することにより、バケット空間仕切板２０は再びラック間仕切板１６より支持され、バケット９の昇降移動空間をラック間仕切板１６と同一高さ位置にてホットゾーン側とコールドゾーン側とに仕切るようになる。
【００２４】
バケット９が商品取出し用シュータ６の上流端に対応する高さ位置まで降下すると、ソレノイド装置１５によって可動底板１４が傾斜駆動され（図２参照）、可動底板１４上の商品Ｇが商品取出し用シュータ６へ払出され、商品Ｇは商品取出し用シュータ６上を転がって商品取出し口５３へ向かい、商品取出し口５３より取り出される。
【００２５】
ラック間仕切板１６は、任意のスラントラック２間に抜き差し可能であり、ラック間仕切板１６の抜き差しの際には、延長片１８がばね性を有し、仕切板支持部材１９が三角形状であることから、仕切板支持部材１９の案内コラム８の前後に無理なく出し入れされ、ラック間仕切板１６の配置位置が変更されても、バケット空間仕切板２０はラック間仕切板１６より３点支持され、配置位置が安定する。
【００２６】
【発明の効果】
以上の説明から理解される如く、この発明による自動販売機の商品収容装置（請求項１）によれば、バケット空間仕切板によってバケットの昇降移動空間がホットゾーン側とコールドゾーン側に仕切られ、バケットの昇降移動空間がホットゾーン側とコールドゾーン側とを連通開放する吹き抜けとなることがないから、、冷気、暖気が昇降移動空間を通って他のゾーンに逃げることが回避され、熱損失の低減が図られ、また、ゾーン境界部でも温度差を的確に与えることができるようになる。また、バケット空間仕切板はバケットの上昇移動に伴ってバケットにより持ち上げられてバケットの昇降移動に伴って昇降移動するから、バケット空間仕切板がバケットの昇降移動を阻害することがない
【００２７】
また、この発明による自動販売機の商品収容装置（請求項２）によれば、バケット空間仕切板は、一端縁部をラック間仕切板の前端部より支持され、他端側を左右の仕切板支持部材より支持されるから、ラック間仕切板の配置位置が変更されても、バケット空間仕切板はラック間仕切板より３点支持され、配置位置が安定する。
【図面の簡単な説明】
【図１】この発明による自動販売機の商品収容装置の一つの実施の形態を示す通常時の側面図である。
【図２】この発明による自動販売機の商品収容装置の一つの実施の形態を示す商品販売時の側面図である。
【図３】この発明による自動販売機の商品収容装置の一つの実施の形態を示す通常時の斜視図である。
【図４】この発明による自動販売機の商品収容装置の一つの実施の形態を示すバケット移動時の斜視図である。
【符号の説明】
１  商品収容装置
２  スラントラック
３  商品取出端
４  商品取入端
５  ベンドメカニズム
７  リフタ装置
８  案内コラム
９  バケット
１４  可動底板
１６  ラック間仕切板
１８  延長片
１９  仕切板支持部材
２０  バケット空間仕切板
５０  筺体
５１  加熱装置
５２  冷却装置
５３  商品取出し口
【図１】
0003719069.tif 000002
【図２】
0003719069.tif 000003
【図３】
0003719069.tif 000004
【図４】
0003719069.tif 000005